(57)【要約】【課題】タッチパッドに対する単一の指による接触操作によって座標指示と異なる制御信号を出力する入力装置を提供する。【解決手段】入力装置１は、検出面に対する接触を検出して操作信号を出力する複数の検出領域Ａ〜Ｅと、複数の検出領域Ａ〜Ｅの間に設けられ、複数の検出領域Ａ〜Ｅのうち隣り合う検出領域Ａ〜Ｅの検出面と異なる角度で設けられて接触を検出しない非検出領域ＸＡ〜ＸＤとを有する。【選択図】図１
2014002996.tif 000002
【特許請求の範囲】
【請求項１】
検出面に対する接触を検出して操作信号を出力する複数の検出領域と、
前記複数の検出領域において２以上の検出領域に渡る一連の接触が検出されて、前記複数の検出領域から当該一連の接触に応じた操作信号が入力された場合、当該操作信号を予め定められた制御信号に変換する制御部とを有することを特徴とする入力装置。
【請求項２】
複数の操作対象を表示する表示部をさらに有し、
前記制御部は、前記予め定められた制御信号として、前記表示部に表示された前記複数の操作対象のうち操作が有効となる操作対象を変更することを特徴とする請求項１に記載の入力装置。
【請求項３】
複数の操作対象を表示する表示部をさらに有し、
前記制御部は、前記予め定められた制御信号として、前記表示部に表示された前記複数の操作対象のうち表示が主となる操作対象を変更することを特徴とする請求項１に記載の入力装置。
【請求項４】
複数の操作対象を表示する表示部をさらに有し、
前記制御部は、前記予め定められた制御信号として、前記表示部に表示された前記複数の操作対象のうち操作が有効となっている操作対象の一部を選択し、選択された当該操作対象の一部を操作が有効となっている操作対象以外の操作対象に移動することを特徴とする請求項１に記載の入力装置。
【請求項５】
操作対象を表示する表示部をさらに有し、
前記制御部は、前記予め定められた制御信号として、前記表示部に表示された前記操作対象の一部を移動するものであって、前記一連の接触がなされた検出領域の数に応じて移動の幅を変更することを特徴とする請求項１に記載の入力装置。
【請求項６】
前記複数の検出領域は、それぞれ隣り合う検出領域の検出面と異なる角度で設けられることを特徴とする請求項１〜５のいずれかに記載の入力装置。
【請求項７】
前記複数の検出領域は、それぞれの検出領域の間に検出面に対する接触を検出しない非検出領域を有することを特徴とする請求項１〜６のいずれかに記載の入力装置。
【発明の詳細な説明】
【技術分野】
【０００１】
本発明は、入力装置に関する。
【背景技術】
【０００２】
従来の技術として、タッチパッドが複数の指で接触操作されると、座標指示と異なる制御信号を出力する入力装置がある（例えば、非特許文献１参照）。
【０００３】
この入力装置は、タッチパッドと、制御部とを有し、制御部は、タッチパッドが単一の指等で接触操作された場合は、表示画面に表示されたカーソル等の移動を指示するいわゆる座標指示のための制御信号を出力し、複数の指で接触操作された場合は、座標指示のための制御信号と異なる制御信号を出力する。
【０００４】
上記した入力装置によれば、例えば、表示部に複数のアプリケーションのウインドウ等が重なって表示されており、所望のアプリケーションに対応するウインドウが重なりの下に配置されているために、単一の指で当該ウインドウを指示することが困難な場合であっても、複数の指で接触操作された場合に複数のウインドウを並列に表示するような制御信号を出力するようにすることで、操作が有効となるウインドウを選択することが容易となる。
【先行技術文献】
【非特許文献】
【０００５】
【非特許文献１】Ａｐｐｌｅ  Ｊａｐａｎ、“OS X Lion：マルチタッチジェスチャについて”、[online]、 [2012年5月21日]、インターネット＜URL;http://support.apple.com/kb/HT4721?viewlocale=ja_JP＞
【発明の概要】
【発明が解決しようとする課題】
【０００６】
しかし、非特許文献１に示す入力装置は、複数の指でタッチパッドを操作する必要があるため、例えば、車両のハンドル等に設けられたタッチパッド等に採用すると、複数の指がハンドル操作以外の操作に用いられることとなり、運転安全上で問題が生じる場合があった。
【０００７】
従って、本発明の目的は、タッチパッドに対する単一の指による接触操作によって座標指示と異なる制御信号を出力することができる入力装置を提供することにある。
【課題を解決するための手段】
【０００８】
本発明の一態様は、検出面に対する接触を検出して操作信号を出力する複数の検出領域と、
前記複数の検出領域において２以上の検出領域に渡る一連の接触が検出されて、前記複数の検出領域から当該一連の接触に応じた操作信号が入力された場合、当該操作信号を予め定められた制御信号に変換する制御部とを有することを特徴とする入力装置を提供する。
【０００９】
上記入力装置は、複数の操作対象を表示する表示部をさらに有し、
上記入力装置の制御部は、前記予め定められた制御信号として、前記表示部に表示された前記複数の操作対象のうち操作が有効となる操作対象を変更するものであってもよい。
【００１０】
上記入力装置は、複数の操作対象を表示する表示部をさらに有し、
上記入力装置の制御部は、前記予め定められた制御信号として、前記表示部に表示された前記複数の操作対象のうち表示が主となる操作対象を変更するものであってもよい。
【００１１】
上記入力装置は、複数の操作対象を表示する表示部をさらに有し、
上記入力装置の制御部は、前記予め定められた制御信号として、前記表示部に表示された前記複数の操作対象のうち操作が有効となっている操作対象の一部を選択し、選択された当該操作対象の一部を操作が有効となっている操作対象以外の操作対象に移動するものであってもよい。
【００１２】
上記入力装置は、操作対象を表示する表示部をさらに有し、
上記入力装置の前記制御部は、前記予め定められた制御信号として、前記表示部に表示された前記操作対象の一部を移動するものであって、前記一連の接触がなされた検出領域の数に応じて移動の幅を変更するものであってもよい。
【００１３】
上記入力装置の複数の検出領域は、それぞれ隣り合う検出領域の検出面と異なる角度で設けられるものであってもよい。
【００１４】
上記入力装置の複数の検出領域は、それぞれの検出領域の間に検出面に対する接触を検出しない非検出領域を有するものであってもよい。
【発明の効果】
【００１５】
本発明によれば、タッチパッドに対する単一の指による接触操作によって座標指示と異なる制御信号を出力することができる。
【図面の簡単な説明】
【００１６】
【図１】図１（ａ）〜（ｃ）は、それぞれ第１の実施の形態に係る入力装置の構成の一例を示す平面図、α−α断面図及びβ−β断面図である。
【図２】図２は、第１の実施の形態に係る入力装置を用いた情報処理装置の構成の一例を示すブロック図である。
【図３】図３（ａ）〜（ｃ）は、入力装置における操作内容を説明するための図である。
【図４】図４（ａ）及び（ｂ）は、情報処理装置の表示部の表示画面に表示される画像に対して行われる操作の一例を説明するための図である。
【図５】図５（ａ）〜（ｃ）は、入力装置の構成の変形例を示すβ−β断面図である。
【図６】図６は、（ａ）〜（ｃ）は、それぞれ第２の実施の形態に係る入力装置の構成の一例を示す平面図、γ−γ断面図及びδ−δ断面図である。
【図７】図７は、入力装置における操作内容を説明するための図である。
【図８】図８は、情報処理装置の表示部の表示画面に表示される画像に対して行われる操作の一例を説明するための図である。
【図９】図９は、（ａ）〜（ｃ）は、それぞれ第３の実施の形態に係る入力装置の構成の一例を示す平面図、λ−λ断面図及びμ−μ断面図である。
【図１０】図１０（ａ）〜（ｃ）は、入力装置における操作内容を説明するための図である。
【図１１】図１１（ａ）〜（ｃ）は、情報処理装置の表示部の表示画面に表示される画像に対して行われる操作の一例を説明するための図である。
【発明を実施するための形態】
【００１７】
（第１の実施の形態）
（入力装置の構成）
図１（ａ）〜（ｃ）は、それぞれ第１の実施の形態に係る入力装置の構成の一例を示す平面図、α−α断面図及びβ−β断面図である。
【００１８】
この入力装置１は、操作者の指等の接触を検出して操作信号を出力する検出領域Ａ〜Ｅと、検出領域Ａ〜Ｄと検出領域Ｅとの間に設けられ接触を検出しない非検出領域ＸＡ〜ＸＤとを有する。
【００１９】
検出領域Ｅは、一例として、入力装置１の設置面Ｓに対して平行に設けられる。また、非検出領域ＸＡ〜ＸＤは、検出領域Ｅの周りを囲んで盛り上がるように斜面を形成し、検出領域Ａ〜Ｄは、非検出領域ＸＡ〜ＸＤの周りを囲んで外周方向に下がるように斜面を形成する。各領域の境界は連続で滑らかであることが望ましいが、操作者の指先に引っかかりが生じない程度であれば非連続であってもよい。
【００２０】
入力装置１のサイズは、例えば、平面視において４０ｍｍ×４０ｍｍ、検出領域Ｅのサイズは２６ｍｍ×２６ｍｍであり、検出領域Ａ〜Ｄ及び非検出領域ＸＡ〜ＸＤの検出領域Ｅに対する角度は４５°である。なお、使用用途に応じて適宜サイズ変更が可能である。
【００２１】
入力装置１の検出領域Ａ〜Ｅは、例えば、操作者の体の一部（例えば、指）で検出面に触れた場合、触れた検出面上の位置を検出するタッチパッドである。操作者は、例えば、検出面に操作を行うことにより、情報処理装置４の操作を行うことが可能となる。入力装置１の検出領域Ａ〜Ｅとしては、例えば、周知の抵抗膜方式、赤外線方式、ＳＡＷ（Surface Acoustic Wave）方式、静電容量方式等のタッチパッドを用いることが可能である。
【００２２】
本実施の形態に係る入力装置１の検出領域Ａ〜Ｅは、例えば、検出面に指が近づくことにより、検出面下に設けられた電極と指との距離に反比例した電流の変化を検出信号として出力する静電容量方式のタッチパッドである。
【００２３】
入力装置１の検出領域Ａ〜Ｅ及び非検出領域ＸＡ〜ＸＤを含めた表面は、例えば、ＰＥＴ（Polyethylene terephthalate）又はガラスを用いて、板状に形成される。検出領域Ａ〜Ｅについては、検出面の裏面にマトリクス状の電極が形成され、例えば、ＩＴＯ（スズドープ酸化インジウム：Indium Tin Oxide）が用いられる。
【００２４】
また、入力装置１は、内部で発生するクロック信号に応じて検出領域Ａ〜Ｅの裏面の電極から静電容量を読み出し、読み出した静電容量の値（静電容量値）に基づいて、座標値を生成し、操作信号として制御部２に出力するように構成される。
【００２５】
図２は、第１の実施の形態に係る入力装置を用いた情報処理装置の構成の一例を示すブロック図である。
【００２６】
情報処理装置４は、操作者の入力操作（接触）に基づいて操作信号を出力する入力装置１と、入力装置１から入力される操作信号を制御信号に変換したり表示部３に表示する文字や画像等の情報を表示部３に出力するＣＰＵ（Central Processing Unit）及びＧＰＵ（Graphic Processing Unit）等を含む制御部２と、文字や画像等を表示する液晶ディスプレイ等の表示部３とを有する。なお、制御部２は、入力装置１又は表示部３に内蔵されていてもよいし、単独で構成されていてもよい。
【００２７】
制御部２は、操作信号受付手段２０、操作信号変換手段２１、制御信号出力手段２２及び表示制御手段２３等として機能する。
【００２８】
操作信号受付手段２０は、入力装置１が出力する操作信号を受け付ける。
【００２９】
操作信号変換手段２１は、操作信号受付手段２０が受け付けた操作信号を予め用意された操作信号と制御信号を変換するテーブル等（図示せず）に基づいて制御信号に変換する。
【００３０】
制御信号出力手段２２は、操作信号変換手段２１が変換した制御信号を制御信号の種類に応じて表示制御手段２３又は情報処理装置４に接続された図示しない外部機器等に出力する。
【００３１】
表示制御手段２３は、表示部３に画像を表示するための情報を出力する。また、制御信号出力手段２２が出力する制御信号に基づいて表示部３に画像を表示するための情報を変化させる。
【００３２】
表示部３は、例えば、ＴＦＴ（Thin Film Transistor）型等の周知の液晶ディスプレイである。この表示部３は制御部２に接続され、制御部２から出力される画像を表示するための情報に基づいて表示画面に画像を表示する。
【００３３】
（第１の実施の形態の動作）
以下に、情報処理装置４の動作を図１〜５を参照しつつ、（１）基本動作、（２）入力装置操作例及び（３）画像表示動作例に分けて説明する。
【００３４】
（１）基本動作
まず、情報処理装置４に図示しない電源から電力が供給されると、制御部２の表示制御手段２３は、表示部３に初期画面を表示する。
【００３５】
次に、操作者が表示部３の初期画面を見ながら、入力装置１に触れることで何らかの操作を行う。
【００３６】
入力装置１は、検出面の検出領域Ａ〜Ｅにおいて、操作者により触れられた位置を検出する。位置の検出は、内部で発生するクロック信号に応じて電極から静電容量を読み出すことで行われ、検出された位置は、読み出した静電容量の値（静電容量値）に基づいて座標値が生成されて操作信号として出力される。入力装置１が出力した操作信号は、制御部２に入力される。
【００３７】
制御部２の操作信号受付手段２０は、入力された操作信号を受け付ける。次に、操作信号変換手段２１は、操作信号受付手段２０が受け付けた操作信号を予め用意された操作信号と制御信号を変換するテーブルに基づいて制御信号に変換する。
【００３８】
次に、制御部２の制御信号出力手段２２は、操作信号受付手段２０が変換した制御信号を制御信号の種類に応じて表示制御手段２３又は情報処理装置４に接続された図示しない外部機器等に出力する。なお、制御信号出力手段２２は、表示制御手段２３の表示が変更された場合にも制御信号を出力する。
【００３９】
表示制御手段２３は、制御信号出力手段２２から制御信号が入力されると、制御信号に基づいて表示部３に画像を表示するための情報を変化させる。変化の具体例については、「（３）画像表示動作例」において詳細に説明する。
【００４０】
また、制御信号出力手段２２が制御信号を外部機器等に対して出力した場合、外部機器は制御信号に基づいて動作する。
【００４１】
以下に、入力装置１に対する操作について具体的に説明する。
【００４２】
（２）入力装置操作例
図３（ａ）〜（ｃ）は、入力装置１における操作内容を説明するための図である。
【００４３】
図３（ａ）に示すように、入力装置１の検出領域Ｅ上に操作者の人差指５等を接触して移動させることで座標指示等の操作が入力される。なお、このとき指を検出領域Ｅの端まで移動させると、人差指５が凹部ｄＡ、非検出領域ＸＡ又は凹部ｄＣ、非検出領域ＸＣに接触し、操作者は検出領域Ｅの端に人差指５が位置することを認識できる。また、人差指５は、検出領域Ａ、Ｃ（Ｂ、Ｄ）に接触しないため誤動作することはない。なお、人差指５に限らず他の指で入力装置１を操作してもよいし、スタイラスペン等の入力用の道具を用いて操作してもよい。
【００４４】
また、図３（ｂ）に示すように、入力装置１の検出領域Ｅ上に操作者の人差指５等を接触して移動させ、凹部ｄＡ、非検出領域ＸＡ、凸部ｕＡを乗り越えて検出領域Ａに接触することで座標指示等と異なる操作（後述する「（３）画像表示動作例」参照。）が入力される。なお、人差指５は、リブ等を乗り越える場合と異なり、検出領域Ｅ、凹部ｄＡ、非検出領域ＸＡ、凸部ｕＡ、検出領域Ａに接触しながら滑らかに移動することができる。
【００４５】
また、図３（ｃ）に示すように、入力装置１の検出領域Ｂ（Ａ、Ｃ、Ｄ）上に操作者の人差指５等を接触して移動させることで座標指示等の操作が入力される。なお、このとき指を検出領域Ｂの端（Ａ又はＣとの境界）まで移動させると、人差指５が凸部ｓＡ又はｓＢに接触し、操作者は検出領域Ｂの端に人差指５が位置することを触覚により認識できる。また、指を検出領域Ｂの端（ＸＢとの境界）まで移動させると、人差指５が凸部ｕＢに接触し、操作者は検出領域Ｂの端に人差指５が位置することを触覚により認識できる。また、人差指５は、検出領域Ｅには接触しないため誤動作することはない。
【００４６】
（３）画像表示動作例
図４（ａ）及び（ｂ）は、情報処理装置４の表示部３の表示画面に表示される画像に対して行われる操作の一例を説明するための図である。
【００４７】
図４（ａ）に示すように、表示制御手段２３によって表示部３の表示画面にアイコン表示画面３０と、地図表示画面３１とが表示されている場合について説明する。アイコン表示画面３０には、複数種類のアイコン３０ａ〜３０ｄが表示され、地図表示画面３１には、地図及び地図の拡大縮小を操作するための拡大縮小バー３１ａが表示される。
【００４８】
地図表示画面３１は、ナビゲーションシステム等に用いられる地図を表示する画面であり、アイコン表示画面３０のアイコン３０ａ〜３０ｄは、地図表示画面３１上に配置されるものである。
【００４９】
操作者が入力装置１の検出領域Ｅにおいて操作を行うと、地図表示画面３１において地図がスクロールされる。また、入力装置１の検出領域Ｄにおいて操作を行うと、地図表示画面３１の拡大縮小バー３１ａが操作されて、表示されている地図の拡大率が変更される。
【００５０】
また、操作者が入力装置１の検出領域Ｂにおいて操作を行うと、アイコン表示画面３０において選択されるアイコン３０ａ〜３０ｄが変更される。
【００５１】
このとき、操作者が入力装置１の検出領域Ｂにおいて操作を行い、アイコン表示画面３０においてアイコン３０ａが選択された状態で検出領域Ｂから非検出領域ＸＢを乗り越えて検出領域Ｅに移動する操作がなされると、図４（ａ）中の太矢印で示すように、アイコン３０ａが地図表示画面３１に移動（ドロップ）される。なお、地図表示画面３１上の配置位置は入力装置１の検出領域Ｅを操作することによって移動することができる。
【００５２】
なお、入力装置１が操作されてから、例えば、アイコン３０ａが指示されるまでに、操作に応じて入力装置１が操作信号を出力し、操作信号受付手段２０によって受け付けられて、操作信号変換手段２１によって制御信号に変換され、制御信号出力手段２２が表示制御手段２３に出力し、表示制御手段２３によって表示処理がなされるが、以下説明を簡単にするために同様の処理を行う場合については当該処理の記載を省略する。
【００５３】
また、図４（ｂ）に示すように、地図表示画面３１と、メニュー表示画面３２が表示されている場合について説明する。メニュー表示画面３２には、それぞれの機能に応じた画面へ遷移するためのメニューアイコン３２ａ〜３２ｆが表示される。
【００５４】
操作者が入力装置１の検出領域Ｅにおいて操作を行うと、地図表示画面３１又はメニュー表示画面３２のいずれかについて操作が反映される。地図表示画面３１における操作が有効となっている場合（地図表示画面３１が操作対象となっている場合）には地図がスクロールされ、メニュー表示画面３２における操作が有効となっている場合（メニュー表示画面３２が操作対象となっている場合）にはいずれかのメニューアイコン３２ａ〜３２ｆが選択される。
【００５５】
例えば、地図表示画面３１における操作が有効となっている場合、操作者が入力装置１の検出領域Ｂから非検出領域ＸＢを乗り越えて検出領域Ｅに移動する操作がなされると、つまり、検出領域Ｂから検出領域Ｅに渡り一連の接触が検出されると、地図表示画面３１における操作が無効となり、メニュー表示画面３２における操作が有効となる。
【００５６】
また、メニュー表示画面３２における操作が有効となっている場合、操作者が入力装置１の検出領域Ｄから非検出領域ＸＤを乗り越えて検出領域Ｅに移動する操作がなされると、つまり、検出領域Ｄから検出領域Ｅに渡り一連の接触が検出されると、メニュー表示画面３２における操作が無効となり、地図表示画面３１における操作が有効となる。
【００５７】
なお、地図表示画面３１と、メニュー表示画面３２が同時に表示されている場合の他、操作が有効となっている画面を表示する割合を大きくしたり、操作が有効となっている画面のみを表示するようにして、表示が主となる画面を変更してもよい。
【００５８】
（第１の実施の形態の効果）
上記した実施の形態によると、各検出領域Ａ〜Ｅ間にリブ等を設けることなく、各領域を連続に又は指の引っ掛かりのない程度の段差で接続したため、人差指５は各領域に接触しながら滑らかに移動することができ、複数の領域を跨ぐ操作が可能となる。また、複数の領域を跨ぐ一連の接触を検出して、座標指示制御等の通常の制御信号と異なる制御信号、例えば、図４（ｂ）に示したように操作対象を変更する等の制御信号を出力することができる。
【００５９】
また、例えば、検出領域Ｅの端に凹部ｄＡ又は凹部ｄＣを設けたため、操作者に各領域の境界を指先の接触により認識させることができる。
【００６０】
また、検出領域Ｅと、検出領域Ａ〜Ｄとの間に非検出領域を設け、検出領域Ｅの端に人差指５が位置する場合に非検出領域ＸＡ〜ＸＤに接触し、検出領域Ａ〜Ｄに接触しないように構成したため、誤動作を抑制することができる。
【００６１】
なお、本発明は、上記した実施の形態に限定されず、本発明の技術思想を逸脱あるいは調整しない範囲内で種々の変形が可能である。例えば、以下に示すように入力装置１の構成を変形してもよい。
【００６２】
図５（ａ）〜（ｃ）は、入力装置１の構成の変形例を示すβ−β断面図である。
【００６３】
図５（ａ）に示すように、検出領域Ｄ、Ｂ（Ａ、Ｃ）の断面を曲面で構成してもよい。また、さらに非検出領域ＸＡ〜ＸＤを曲面で構成してもよい。各面を曲面で構成することで、各領域間を跨ぐ操作がより滑らかに行われる。
【００６４】
また、図５（ｂ）に示すように、非検出領域の断面をＸＤ１、ＸＤ２やＸＢ１、ＸＢ２（ＸＡ１、ＸＡ２やＸＣ１、ＸＣ２）のように多角形で構成してもよい。多角形状とすることで、検出領域Ｅの境界を指先の感触により確認させることができるとともに、複数の領域を跨ぐ操作をする際に、多角形状でない場合に比べて、各領域間を跨ぐ操作がより滑らかに移動させることができる。
【００６５】
また、実施の形態において、検出領域Ａ〜Ｅについては検出面の裏面にマトリクス状の電極を形成し、非検出領域ＸＡ〜ＸＤについては検出面の裏面に電極を形成しない構成としたが、図５（ｃ）に示すように、検出面の裏面の全面に電極を形成し、非検出領域ＸＡ〜ＸＤに該当する領域に接触を検出しないように絶縁性のカバーＸＤ３、ＸＢ３（ＸＡ３、ＸＣ３）を設けてもよい。
【００６６】
なお、これらの変形例を適宜組み合わせて構成してもよい。
【００６７】
また、検出領域Ａ〜Ｅの下に又は入力装置１の下にメカスイッチを設け、検出領域Ａ〜Ｅ上においてそれぞれ異なる押し込み操作ができるようにしてもよい。
【００６８】
また、実施の形態において検出領域Ａ〜Ｅは、操作者が触れた検出面上の位置を検出するタッチパッドである旨説明したが、操作者が検出面に触れながら指先等を移動させた場合に、移動量や移動速度を検出してもよい。
【００６９】
また、非検出領域ＸＡ-ＸＤを設けずに、検出領域Ａ〜Ｅをそれぞれ異なる角度で設けて、操作者に各領域の境界を指先の接触により認識させるとともに、複数の領域を跨ぐ操作が可能となるような形状としてもよい。
【００７０】
また、検出領域Ａ〜Ｅを略平行に設けて、隣り合う検出領域の間に、複数の領域を跨ぐ操作を妨げない程度の凹部又は凸部を有する非検出領域を設けて、操作者に各領域の境界を指先の接触により認識させるとともに、複数の領域を跨ぐ操作が可能となるような形状としてもよい。
【００７１】
また、検出領域Ａ〜Ｄに施される表面処理と、検出領域Ｅに施される表面処理とを異なるものとしてもよい。例えば、検出領域Ａ〜Ｄの表面処理を利用者が滑らかに感じるものとし、検出領域Ｅの表面処理を利用者が粗さを感じるものとしてもよい。または、その逆であってもよい。
【００７２】
また、検出領域Ｅを入力装置１の設置面Ｓに近づく方向へ可変とし、検出領域Ａ〜Ｄを設置面Ｓから遠ざかる方向へ可変とすることで、検出領域Ｅと検出領域Ａ〜Ｄとの段差距離を可変としてもよい。
【００７３】
（第２の実施の形態）
図６は、（ａ）〜（ｃ）は、それぞれ第２の実施の形態に係る入力装置の構成の一例を示す平面図、γ−γ断面図及びδ−δ断面図である。
【００７４】
この入力装置１Ａは、操作者の指等の接触を検出して操作信号を出力する検出領域Ｆ、Ｇを有する。
【００７５】
検出領域Ｆ、Ｇは、一例として、入力装置１の設置面Ｓ’に対して平行に設けられる。各領域の境界ｂ０は連続で滑らかであることが望ましいが、操作者の指先に引っかかりが生じない程度であれば非連続であってもよい。
【００７６】
入力装置１Ａのサイズは、例えば、平面視において２６ｍｍ×５２ｍｍ、検出領域Ｆ、Ｇのサイズは２６ｍｍ×２６ｍｍである。なお、使用用途に応じて適宜サイズ変更が可能である。
【００７７】
入力装置１Ａの検出領域Ｆ、Ｇは、例えば、操作者の体の一部（例えば、指）で検出面に触れた場合、触れた検出面上の位置を検出するタッチパッドであり、例えば、検出面に指が近づくことにより、検出面下に設けられた電極と指との距離に反比例した電流の変化を検出信号として出力する静電容量方式のタッチパッドである。
【００７８】
入力装置１Ａの検出領域Ｆ、Ｇの表面は、例えば、ＰＥＴ又はガラスを用いて、板状に形成される。検出領域Ｆ、Ｇには、検出面の裏面にマトリクス状の電極が形成され、例えば、ＩＴＯが用いられる。
【００７９】
また、入力装置１Ａは、内部で発生するクロック信号に応じて検出領域Ｆ、Ｇの裏面の電極から静電容量を読み出し、読み出した静電容量の値（静電容量値）に基づいて、座標値を生成し、操作信号として制御部２に出力するように構成される。
【００８０】
なお、情報処理装置４の制御部２及び表示部３の構成は、第１の実施の形態と共通するため説明を省略する。
【００８１】
（第２の実施の形態の動作）
以下に、第２の実施の形態に係る情報処理装置４の動作を図２、図６〜図８を参照しつつ、（１）入力装置操作例及び（２）画像表示動作例に分けて説明する。なお、基本動作については、第１の実施の形態の「（１）基本動作」と共通するため説明を省略する。
【００８２】
（１）入力装置操作例
図７は、入力装置１Ａにおける操作内容を説明するための図である。
【００８３】
図７に示すように、入力装置１Ａの検出領域Ｆ上に操作者の人差指５等を接触して移動させ、境界ｂ０を超えて検出領域Ａに接触することで以下に説明する座標指示等と異なる操作が入力される。
【００８４】
（２）画像表示動作例
図８は、情報処理装置４の表示部３の表示画面に表示される画像に対して行われる操作の一例を説明するための図である。
【００８５】
図８に示すように、表示制御手段２３によって表示部３の表示画面に楽曲リスト表示画面３３と、楽曲追加画面３４とが表示されている場合について説明する。楽曲リスト表示画面３３には、複数種類の楽曲データリスト３３ａ〜３３ｃが表示され、楽曲追加画面３４には、利用者のお気に入りの楽曲データを格納するためのフォルダ３４ａが表示される。
【００８６】
楽曲リスト表示画面３３は、一例として、利用者が最近購入した楽曲データをリスト表示する画面である。
【００８７】
操作者が入力装置１Ａの検出領域Ｆにおいて操作を行うと、楽曲リスト表示画面３３において選択される楽曲データリスト３３ａ〜３３ｃが変更される。
【００８８】
このとき、操作者が入力装置１Ａの検出領域Ｆにおいて操作を行い、楽曲リスト表示画面３３において楽曲データリスト３３ａが選択された状態で検出領域Ｆから境界ｂ０を乗り越えて検出領域Ｇに移動する操作がなされると、図８中の太矢印で示すように、楽曲データリスト３３ａが楽曲追加画面３４のフォルダ３４ａに移動（ドロップ）される。
【００８９】
（第２の実施の形態の効果）
上記した実施の形態によると、複数の領域を跨ぐ一連の接触を検出して、座標指示制御等の通常の制御信号と異なる制御信号、例えば、図８に示したように２つの画面間において操作対象を移動する等の制御信号を出力することができる。
【００９０】
（第３の実施の形態）
図９は、（ａ）〜（ｃ）は、それぞれ第３の実施の形態に係る入力装置の構成の一例を示す平面図、λ−λ断面図及びμ−μ断面図である。
【００９１】
この入力装置１Ｂは、操作者の指等の接触を検出して操作信号を出力する検出領域Ｈ、Ｉ、Ｊを有する。
【００９２】
検出領域Ｈ、Ｉ、Ｊは、一例として、入力装置１の設置面Ｓ”に対して平行に設けられる。各領域の境界ｂ１、ｂ２は連続で滑らかであることが望ましいが、操作者の指先に引っかかりが生じない程度であれば非連続であってもよい。
【００９３】
入力装置１Ｂのサイズは、例えば、平面視において７８ｍｍ×２６ｍｍ、検出領域Ｈ、Ｉ、Ｊのサイズは２６ｍｍ×２６ｍｍである。なお、使用用途に応じて適宜サイズ変更が可能である。
【００９４】
なお、情報処理装置４の制御部２及び表示部３の構成は、第１の実施の形態と共通するため説明を省略する。
【００９５】
（第３の実施の形態の動作）
以下に、第３の実施の形態に係る情報処理装置４の動作を図２、図９〜図１１を参照しつつ、（１）入力装置操作例及び（２）画像表示動作例に分けて説明する。なお、基本動作については、第１の実施の形態の「（１）基本動作」と共通するため説明を省略する。
【００９６】
（１）入力装置操作例
図１０（ａ）〜（ｃ）は、入力装置１Ｂにおける操作内容を説明するための図である。
【００９７】
図１０（ａ）に示すように、入力装置１Ｂの検出領域Ｈ上に操作者の人差指５等を接触して移動させることで、後述する図１１（ａ）に対応した座標指示等と異なる操作が入力される（「（３）画像表示動作例」参照。）。
【００９８】
また、図１０（ｂ）に示すように、入力装置１Ｂの検出領域Ｈ上に操作者の人差指５等を接触して移動させ、境界ｂ１を超えて検出領域Ｉとの間で接触移動することで、後述する図１１（ｂ）に対応した座標指示等と異なる操作が入力される。
【００９９】
また、図１０（ｃ）に示すように、入力装置１Ｂの検出領域Ｈ上に操作者の人差指５等を接触して移動させ、境界ｂ１、ｂ２を超えて検出領域Ｊとの間で接触移動することで、後述する図１１（ｃ）に対応した座標指示等と異なる操作が入力される。
【０１００】
（２）画像表示動作例
図１１（ａ）〜（ｃ）は、情報処理装置４の表示部３の表示画面に表示される画像に対して行われる操作の一例を説明するための図である。
【０１０１】
図１１（ａ）に示すように、表示制御手段２３によって表示部３の表示画面に楽曲リスト表示画面３３が表示されている場合について説明する。楽曲リスト表示画面３３には、複数種類の楽曲データリスト３３ａ〜３３ｃが表示される。
【０１０２】
楽曲リスト表示画面３３は、一例として、利用者が最近購入した楽曲データをリスト表示する画面である。
【０１０３】
操作者が入力装置１Ｂの検出領域Ｆにおいて操作を行うと、楽曲リスト表示画面３３において選択される楽曲データリスト３３ａ〜３３ｃが変更される。
【０１０４】
図１１（ａ）に示すように、破線３３Ａ’で示された楽曲データリスト３３ａが選択枠３３Ａによって元々選択されていた場合に、操作者が入力装置１Ｂの検出領域Ｈにおいて、図１０（ａ）において説明したように指５を下方向に移動させる操作を行うと、選択枠３３Ａは楽曲データリスト３３ｂに移動する。
【０１０５】
また、図１１（ｂ）に示すように、破線３３Ａ’で示された楽曲データリスト３３ａが選択枠３３Ａによって元々選択されていた場合に、図１０（ｂ）において説明したように、操作者が入力装置１Ｂの検出領域Ｈ及びＩ間において指５を下方向に移動させる操作を行うと、選択枠３３Ａは楽曲データリスト３３ｅに移動する。つまり、図１１（ａ）の場合は、選択枠３３Ａが１コマ移動し、図１１（ｂ）の場合は、選択枠３３Ａが５コマ移動する。
【０１０６】
また、図１１（ｃ）に示すように、破線３３Ａ’で示された楽曲データリスト３３ａが選択枠３３Ａによって元々選択されていた場合に、図１０（ｃ）において説明したように、操作者が入力装置１Ｂの検出領域Ｈ及びＪ間において指５を下方向に移動させる操作を行うと、選択枠３３Ａは楽曲データリスト３３ｊに移動する。つまり、図１１（ｃ）の場合は、選択枠３３Ａが１０コマ移動する。なお、移動するコマ数は設計に応じて変更してもよい。
【０１０７】
（第３の実施の形態の効果）
上記した実施の形態によると、検出領域に対する接触を検出して、座標指示制御等の通常の制御信号と異なる制御信号、例えば、図１１（ａ）〜（ｃ）に示したように画面内における操作対象をスクロールする等の制御信号を出力することができ、複数の領域を跨ぐ一連の接触の領域の数に応じて、スクロールの幅を変更することができる。
【符号の説明】
【０１０８】
１、１Ａ、１Ｂ       入力装置
２     制御部
３     表示部
４     情報処理装置
５     人差指
２０   操作信号受付手段
２１   操作信号変換手段
２２   制御信号出力手段
２３   表示制御手段
３０   アイコン表示画面
３０ａ−３０ｄ       アイコン
３１   地図表示画面
３１ａ 拡大縮小バー
３２   メニュー表示画面
３３   楽曲リスト表示画面
３３Ａ 選択枠
３４   楽曲追加画面
３３ａ−３３ｊ       楽曲データリスト
３４ａ フォルダ
Ａ-Ｅ  検出領域
ＸＡ-ＸＤ     非検出領域
【図１】
2014002996.tif 000003
【図２】
2014002996.tif 000004
【図３】
2014002996.tif 000005
【図４】
2014002996.tif 000006
【図５】
2014002996.tif 000007
【図６】
2014002996.tif 000008
【図７】
2014002996.tif 000009
【図８】
2014002996.tif 000010
【図９】
2014002996.tif 000011
【図１０】
2014002996.tif 000012
【図１１】
2014002996.tif 000013